(57)【要約】【課題】遠隔及び隣接チャネルのバンドリングをサポートすること。【解決手段】少なくとも２つの分離したＲＦチャネルを用いてデータの通信を行う送信装置及び受信装置が、チャネルバンドリングを用いて提案される。送信装置は、送信されるデータのデータストリームを２以上のストリームパーティションに分割するように構成されるデータストリーム分割器と、ストリームパーティションをそれぞれ受信し、前記受信されたストリームパーティションから変調データを生成するように構成される２以上の変調器と、前記受信されたストリームパーティションから前記変調器によって生成された前記変調データを、送信用の異なるＲＦチャネルに割り当てるように構成されるインタリーバとを具備する。【選択図】図２１
2018503298.tif 000002
【特許請求の範囲】
【請求項１】
少なくとも２つの分離したＲＦチャネルを用いてデータを送信するための送信装置であって、
送信されるデータのデータストリームを２以上のストリームパーティションに分割するように構成されるデータストリーム分割器（７２，１０１，１２０）と、
ストリームパーティションをそれぞれ受信し、前記受信されたストリームパーティションから変調データを生成するように構成される２以上の変調器（７３，７４，１０２，１０３，１８１，１８２，２１１ａ，…，２１１ｎ）と、
前記受信されたストリームパーティションから前記変調器によって生成された前記変調データを、送信用の異なるＲＦチャネルに割り当てるように構成されるインタリーバ（７３４，７３５，７３６，７３７，７４４，７４５，７４６，７４７，１０２１，１０２２，１０２３，１０３１，１０３２，１０３３，１４０，１８３，２１２，３２１）と
を具備する送信装置。
【請求項２】
請求項１に記載の送信装置であって、
前記データストリーム分割器（７２）は、前記データストリームをＮ個のストリームパーティションに分割するように構成され、
前記送信装置は、単一のストリームパーティションを受信するようにそれぞれ構成されるＮ個の変調器（２１１ａ，…，２１１ｎ）を具備する
送信装置。
【請求項３】
請求項１に記載の送信装置であって、
前記データストリーム分割器（７２，１０１，１２０）は、送信されるデータの少なくとも２つのデータストリームを受信し、前記データストリームを２以上の各ストリームパーティションに分割するように構成され、
前記２以上の変調器（７３，７４，１０２，１０３，１８１，１８２，２１１ａ，…，２１１ｎ）は、少なくとも２つの異なるデータストリームから少なくとも１つのストリームパーティションをそれぞれ受信するように構成される
送信装置。
【請求項４】
請求項３に記載の送信装置であって、
前記２以上の変調器（７３，７４，１０２，１０３，１８１，１８２，２１１ａ，…，２１１ｎ）は、各データストリームから１つのストリームパーティションをそれぞれ受信するように構成される
送信装置。
【請求項５】
請求項３に記載の送信装置であって、
前記インタリーバは、同一のデータストリームにおける異なるストリームパーティションから異なる変調器によって生成され、同一のＲＦチャネルによって送信用に割り当てられた変調データを結合するように構成される結合器（７３６，７４６，１０２３，１０３３，１４７，１４８）をさらに具備する
送信装置。
【請求項６】
請求項１に記載の送信装置であって、
前記送信装置は、ＯＦＤＭシンボルのＯＦＤＭ副搬送波で前記データを送信するように構成され、
前記インタリーバは、前記変調データを、送信用の異なるＲＦチャネルのＯＦＤＭシンボルのＯＦＤＭ副搬送波に割り当てるように構成される
送信装置。
【請求項７】
請求項１に記載の送信装置であって、
前記２以上の変調器（７３，７４，１０２，１０３）は、前記受信されたストリームパーティションから、複数のセルを含むＯＦＤＭシンボルをそれぞれ生成するように構成され、
前記インタリーバは、前記受信されたストリームパーティションから前記変調器によって生成されたＯＦＤＭシンボル又はＯＦＤＭシンボルのセルを、送信用の異なるＲＦチャネルに割り当てるように構成される
送信装置。
【請求項８】
請求項１に記載の送信装置であって、
前記インタリーバは、
前記各変調器の変調データを、前記異なるＲＦチャネルに選択して割り当てるように構成された、前記変調器毎の選択器（７３４，７３５，７４４，７４５，１０２１，１０２２，１０３１，１０３２）と、
前記各ＲＦチャネルに割り当てられた変調データを結合するように構成された、前記ＲＦチャンネル毎の結合器（７３６，７４６，１０２３，１０３３）と、
前記各ＲＦチャネルにおける結合された変調データの周波数インタリーブのための、前記ＲＦチャンネル毎の周波数インタリーバ（７３７，７４７）とを具備する
送信装置。
【請求項９】
請求項１に記載の送信装置であって、
前記データストリーム分割器（７２，１０１，１２０）は、送信されるデータのデータストリームを２以上のストリームパーティションに等しく分割するように構成される
送信装置。
【請求項１０】
請求項１に記載の送信装置であって、
前記インタリーバは、前記変調データを、送信用の異なるＲＦチャネルに等しく割り当てるように構成される
送信装置。
【請求項１１】
請求項１に記載の送信装置であって、
前記インタリーバは、前記異なるＲＦチャネルの帯域幅に比例する、送信用の異なるＲＦチャネルに前記変調データを割り当てるように構成される
送信装置。
【請求項１２】
請求項１に記載の送信装置であって、
前記インタリーバは、セル交換回路を具備する
送信装置。
【請求項１３】
請求項１２に記載の送信装置であって、
前記セル交換回路は、異なるモードで動作するように構成される
送信装置。
【請求項１４】
請求項１２に記載の送信装置であって、
前記セル交換回路は、前記受信されたストリームパーティションから前記変調器によって生成された前記変調データを、送信用の異なるＲＦチャネルに割り当てるように動作するチャネルボンディングモードで動作するように構成される
送信装置。
【請求項１５】
請求項１２に記載の送信装置であって、
前記セル交換回路は、２つの異なるストリームパーティションから偶数インデックスの、２つのＯＦＤＭ搬送波、シンボル又はセルの入力ベクトルの乗算のための行列Ｖ（ｅｖｅｎ）を適用し、２つの異なるストリームパーティションから奇数インデックスの、２つのＯＦＤＭ搬送波、シンボル又はセルの入力ベクトルの乗算のための行列Ｖ（ｏｄｄ）を適用するように構成される
【数１】
2018503298.tif 000010
送信装置。
【請求項１６】
少なくとも２つの分離したＲＦチャネルを用いてデータを送信するための送信方法であって、
送信されるデータのデータストリームを２以上のストリームパーティションに分割し、
２以上の各変調器によってストリームパーティションをそれぞれ受信し、
前記受信されたストリームパーティションから変調データを生成し、
前記受信されたストリームパーティションから変調器によって生成された前記変調データを、送信用の異なるＲＦチャネルに割り当てる
送信方法。
【請求項１７】
少なくとも２つの分離したＲＦチャネルを介してデータストリームのデータを受信するための受信装置であって、
少なくとも２つの分離したＲＦチャネルを介して受信されたデータストリームのデータを受信するように構成され、前記データストリームのストリームパーティションのデータは、少なくとも２つのＲＦチャネルを介して送信され、異なるＲＦチャネルを介して送信された同一のストリームパーティションに属するデータを異なる復調器に割り当てるように構成されるデインタリーバ（８３１，８３２，８３３，８３４，８４１，８４２，８４３，８４４，１９１，１９２，１９３，４２１，４３１）と、
ストリームパーティションのデータをそれぞれ受信し、前記受信されたストリームパーティションのデータから復調データを生成するように構成される２以上の復調器（８３，８４，１１３，１１４）と、
前記２以上の復調器の復調データをデータストリームに結合するように構成される
データストリーム結合器（８５，１８３）と
を具備する受信装置。
【請求項１８】
請求項１７に記載の受信装置であって、
前記受信装置は、Ｎ個のストリームパーティションからデータをそれぞれ受信するＮ個の復調器（８３，８４，１１３，１１４）を具備し、
前記データストリーム結合器（８５，１８３）は、前記Ｎ個の復調器からの復調データを前記データストリームに結合するように構成される
受信装置。
【請求項１９】
請求項１７に記載の受信装置であって、
前記デインタリーバは、異なるＲＦチャネルを介して送信された同一のストリームパーティションに属するＯＦＤＭシンボル又はＯＦＤＭのＯＦＤＭ副搬送波を、異なる復調器に割り当てるように構成される
受信装置。
【請求項２０】
請求項１７に記載の受信装置であって、
前記受信されたデータをデマッピングするためのデマッパ（１９５）をさらに具備し、
前記デインタリーバは、ｉ）前記デマッピングされたデータのＬＬＲ値又はデマッピングされる前のデータのＩ及びＱ値、及び／又は、ｉｉ）異なるＲＦチャネルを介して送信された同一のストリームパーティションに属する、デマッピングされる前のチャネル状態情報を、異なる復調器に割り当てるように構成される
受信装置。
【請求項２１】
請求項１７に記載の受信装置であって、
前記受信装置は、ＯＦＤＭシンボルのＯＦＤＭ副搬送波で前記データを受信するように構成され、
前記デインタリーバは、異なるＲＦチャネルを介して送信されたＯＦＤＭシンボルの副搬送波、又はＯＦＤＭシンボルから受信されたデータを、異なる復調器に割り当てる
受信装置。
【請求項２２】
請求項１７に記載の受信装置であって、
前記デインタリーバは、セル再交換回路を具備する
受信装置。
【請求項２３】
請求項２２に記載の受信装置であって、
前記セル再交換回路は、異なるモードで動作するように構成される
受信装置。
【請求項２４】
請求項２２に記載の受信装置であって、
前記セル再交換回路は、異なるＲＦチャネルを介して送信された同一のストリームパーティションに属する前記データを、異なる復調器に割り当てるように動作するチャネルボンディングモードで動作するように構成される
受信装置。
【請求項２５】
少なくとも２つの分離したＲＦチャネルを介してデータストリームのデータを受信するための受信方法であって、
少なくとも２つの分離したＲＦチャネルを介してデータストリームのデータを受信し、前記データストリームのストリームパーティションのデータは、少なくとも２つのＲＦチャネルを介して送信され、
異なるＲＦチャネルを介して送信された同一のストリームパーティションに属するデータを異なる復調器に割り当て、
ストリームパーティションのデータを２以上の復調器によってそれぞれ受信し、
前記受信されたストリームパーティションのデータから復調データを生成し、
前記２以上の復調器の復調データをデータストリームに結合する
受信方法。
【請求項２６】
プロセッサによって実行されると、請求項１６に記載の送信方法又は請求項２５に記載の受信方法が実行されるコンピュータプログラムが記憶されたコンピュータ読み取り可能な記録媒体。
【請求項２７】
少なくとも２つの分離したＲＦチャネルを用いてデータを送信するためのシステムであって、
請求項１に記載された、少なくとも１つの送信装置（７０，９０，１００，１８０，１９０，２００，２１０，２３０）と、
請求項１７に記載された、少なくとも１つの受信装置（８０，１１０，１９０）と
を具備するシステム。
【発明の詳細な説明】
【技術分野】
【０００１】
本開示は、少なくとも２つの分離したＲＦチャネルを用いてデータを送信するための送信装置と、これに対応する方法とに関する。本開示はさらに、少なくとも２つの分離したＲＦチャネルを用いてデータを受信するための受信装置と、これに対応する方法とに関する。
【背景技術】
【０００２】
単一のＲＦチャネルのネット容量を超える全体のサービスデータレートを可能にする、分離したＲＦチャネルの多重チャンネルバンドリングが広く知られている。例えば、チャネルバンドリングは、物理層上に適用される場合があり、つまり、上位層ソリューションは、送信装置側における全体のデータストリームを、異なる単一のＲＦチャネルの容量に適合するパーティションに分割するように注意を払う。ソートされたストリームタイプの一貫した方法で異なるＲＦチャネルのデータ再結合を可能にする上位層シグナリングが提供される場合がある。チャネルバンドリングは、関連する全てのＲＦチャネルに対して透過的に処理され、つまり、受信装置側における出力ストリームは、送信装置側における対応する入力ストリームに等しい。ＲＦチャネルは、必ずしも互いに隣接していなくても、どのチャネル周波数においても配置され得る。
【０００３】
ＡＴＳＣ３．０システムでは、各ＲＦチャネルが、孤立のＡＴＳＣ３．０信号として扱われることが提案されている。追加のガードバンド、追加のパイロット、同期等のバンドリングされたチャネルのための物理層には、特別な措置は要求されない。特に、ＲＦチャネルバンドリングのコンセプトは、複数の既存のＬＤＰＣ符号化器及び復号化器、並びに、標準のＲＦチューナの再利用を可能としており、これは、全体の複雑さを低減すること、及び、単一のＲＦチャネルの容量を超える高データレートサービスの導入を簡素化することに貢献している。
【０００４】
提案された全ての手法では、送信装置（Ｔｘ）側におけるストリームの分割及び受信装置（Ｒｘ）側におけるストリームの再結合（又は、幾つかの図では、結合ＢＢ（ベースバントパケット）デフレーミングとも呼ばれる）は、物理層外で実行される。既知のソリューションは、重大な欠点を有している。つまり、異なるチャネルが完全に分離されているので、膨大な入力ストリームの全体の性能が、異なるＲＦチャネルの異なるチャネルコンディションの影響を受けてしまう。これについての主な理由は、全ての割り当てられたＲＦチャネルに対する送信装置及び受信装置が、独自の独立したＦＰＣ（前方誤り訂正）符号化器及び復号化器を展開しているためである。仮に、１つ、あるいは幾つかのチャネルに、正確なデータ復号化に不十分なＳＮＲ又は他のチャネル障害が発生した場合、全体の再結合ストリームが、誤りを含む破損されたデータストリームとなってしまう。
【０００５】
本明細書中における"背景技術"の記載は、本開示の文脈を一般的に提示することを目的とするものである。この背景技術の欄で説明される範囲での現在における発明者の技術は、本願の出願時点で従来技術ではない可能性がある説明の側面と同様に、明示的にも暗示的にも、本願に対する従来技術として認めるものではない。
【先行技術文献】
【特許文献】
【０００６】
【特許文献１】欧州特許出願公開第２０４３２９１号明細書
【特許文献２】米国特許出願公開第２００７／１４７５２１号明細書
【発明の概要】
【発明が解決しようとする課題】
【０００７】
本技術の目的は、特に、比較的に単純で拡張性のある実施が可能であり、遠隔及び隣接チャネルのバンドリングをサポートし、追加的な周波数ダイバーシティを提供し、単一及び複数データストリームに対するＳＮＲ平均化及び作業を提供する、少なくとも２つの分離したＲＦチャネルを用いてデータを送信する送信装置及びこれに対応する方法を提供することにある。本技術のさらなる目的は、少なくとも２つの分離したＲＦチャネルを用いてデータを受信する、対応する受信装置及び方法を提供することにある。また、本技術のさらなる目的は、上記各方法を実施するための、対応するコンピュータプログラム及び非一時的なコンピュータ読み取り可能な記録媒体を提供することにある。
【課題を解決するための手段】
【０００８】
本技術の一側面によれば、少なくとも２つの分離したＲＦチャネルを用いてデータを送信するための送信装置が提供される。上記送信装置は、送信されるデータのデータストリームを２以上のストリームパーティションに分割するように構成されるデータストリーム分割器と、ストリームパーティションをそれぞれ受信し、前記受信されたストリームパーティションから変調データを生成するように構成される２以上の変調器と、前記受信されたストリームパーティションから前記変調器によって生成された前記変調データを、送信用の異なるＲＦチャネルに割り当てるように構成されるインタリーバとを具備する。
【０００９】
本技術の他の一側面によれば、少なくとも２つの分離したＲＦチャネルを用いてデータを受信するための受信装置及び対応する方法が提供される。上記受信装置は、少なくとも２つの分離したＲＦチャネルを介して受信されたデータストリームのデータを受信するように構成され、前記データストリームのストリームパーティションのデータは、少なくとも２つのＲＦチャネルを介して送信され、異なるＲＦチャネルを介して送信された同一のストリームパーティションに属するデータを異なる復調器に割り当てるように構成されるデインタリーバと、ストリームパーティションのデータをそれぞれ受信し、前記受信されたストリームパーティションのデータから復調データを生成するように構成される２以上の復調器と、前記２以上の復調器の復調データをデータストリームに結合するように構成されるデータストリーム結合器とを具備する。
【００１０】
本技術のさらに別の一側面によれば、対応する方法と、コンピュータ上で実行されると、開示された方法におけるステップをコンピュータに実行させるプログラム手段を含むコンピュータプログラムと、プロセッサにより実行されると開示された方法が実行されるコンピュータプログラムが記憶された非一時的なコンピュータ読み取り可能な記録媒体とが提供される。
【００１１】
本技術の他の形態は、従属請求項において定義される。なお、開示された方法、開示されたコンピュータプログラム、及び開示されたコンピュータ読み取り可能な記録媒体は、それぞれ、特許請求の範囲に記載された送信装置及び受信装置と類似及び／又は同一の実施形態を有し、従属請求項において定義される。
【００１２】
本技術の一側面は、特に、異なるＲＦチャネルに亘るＳＮＲ平均化を伴う、複数ＲＦチャネルに基づくチャネルバンドリングを使用する。本技術は、利用可能なＲＦチャネルに亘る符号化からの出力データの拡散を使用する。この拡散は、送信装置及び受信装置の異なる段階で実行されてもよい。２つの例示的な実施形態は、ＯＦＤＭシンボルレベルでの拡散、及びＰＬＰレベルに基づく拡散である。
【００１３】
前述の段落は、一般的な導入によって提供されたものであり、添付の特許請求の範囲を限定するものではない。記載された実施形態は、さらなる利点と共に、添付の図面と併せて以下の詳細な説明を参照することによって最良に理解されるであろう。
【図面の簡単な説明】
【００１４】
【図１】チャネルバンドリングアーキテクチャに関する現行の提案を示す概略図である。
【図２】異なる地上波ＲＦチャネルにおけるＳＮＲの変動を示す図である。
【図３】ＤＶＢ−Ｃ２のチャネルバンドリングを示す概略図である。
【図４】ＤＶＢ−Ｓ２ｘのチャネルバンドリングを示す概略図である。
【図５】マルチチューナ型チャネルバンドリング受信装置アーキテクチャを示す概略図である。
【図６】単一チューナ型チャネルバンドリング受信装置アーキテクチャを示す概略図である。
【図７】ＯＦＤＭシンボルのセルレベルでのチャネルバンドリングのＴｘ側の処理を示す概略図である。
【図８】提案されたハイブリッドデュアルチューナ型アーキテクチャ（ＯＦＤＭシンボルレベルの拡散）を示す概略図である。
【図９】完全なＯＦＤＭシンボルレベルでのチャネルバンドリングのＴｘ側の処理を示す概略図である。
【図１０】ＰＬＰレベルでのチャネルバンドリングのＴｘ側の処理を示す概略図である。
【図１１】提案されたハイブリッドデュアルチューナ型アーキテクチャ（ＰＬＰレベルでの拡散）を示す概略図である。
【図１２】入力及び出力インターフェイスでのストリーム分割器を示す概略図である。
【図１３】入力及び出力インターフェイスでｍ＝２でのストリーム結合器を示す概略図である。
【図１４】２つのＲＦチャネルの選択器／結合器ステージを示す概略図である。
【図１５】２つのＲＦチャネル及び同じＣdateでの選択器／結合器ステージにおけるＯＦＤＭシンボルのセル交換の一例を示す概略図である。
【図１６】３つのＲＦチャネル及び同じＣdateでの選択器／結合器ステージ間のＯＦＤＭシンボルのセル交換の一例を示す概略図である。
【図１７】変調器を相互接続する２つの異なる手法を示す概略図である。
【図１８】単一ＢＩＣＭステージでのチャネルバンドリングを示す概略図である。
【図１９】単一ＢＩＣＭステージでのチャネルバンドリングの受信装置を示す概略図である。
【図２０】複数ＰＬＰでのチャネルバンドリングのアーキテクチャを示す概略図である。
【図２１】１つの周波数帯周波数インタリーバを用いる複数ＰＬＰでのチャネルバンドリングのアーキテクチャを概略図である。
【図２２】地上波放送システムにおける基本ＴＦＳ機構を示す概略図である。
【図２３】ＴＦＳのＴｘアーキテクチャを示す概略図である。
【図２４】異なるモードで使用される共通の送信装置及び受信装置アーキテクチャを示す概略図である。
【図２５】ＭＩＭＯモードにおける共通の送信装置及び受信装置アーキテクチャを示す概略図である。
【図２６】チャネルボンディングモードにおける共通の送信装置及び受信装置アーキテクチャを示す概略図である。
【図２７】ＭＲＣモードにおける共通の送信装置及び受信装置アーキテクチャを示す概略図である。
【発明を実施するための形態】
【００１５】
本開示におけるより完全な理解及びその多くの利点は、添付の図面と結びつけて以下の詳細な説明が参照されることによって十分に理解され容易に理解される。
【００１６】
本開示は、データを送信及び受信するための装置、方法及びシステムについて記載する。幾つかの実施形態では、本開示は、データの放送送信及び受信に関連する。幾つかの実施形態では、データは、オーディオ／ビデオデータであってもよい。幾つかの実施形態は、特に、異なるＲＦチャネルに亘るＳＮＲ平均化を伴う、複数ＲＦチャネルに基づくチャネルバンドリングについて記載する。
【００１７】
まず、背景技術及び既存のアーキテクチャについて説明する。
【００１８】
次のＡＴＳＣ３．０標準における現在の提案は、複数のチャネルバンドリングを予測し、ＲＦチャネルを分離して、単一のＲＦチャネルのネット容量を超える全体のサービスデータレートを可能にしている。この提案では、チャネルバンドリングが物理層上に適用され、つまり、つまり、上位層ソリューションは、送信装置側における全体のデータストリームを、異なる単一のＲＦチャネルの容量に適合するパーティションに分割するように注意を払う。ソートされたストリームタイプの一貫した方法で異なるＲＦチャネルのデータ再結合を可能にする上位層シグナリングが提供される。チャネルバンドリングは、関連する全てのＲＦチャネルに対して透過的に処理され、つまり、受信装置側における出力ストリームは、送信装置側における対応する入力ストリームに等しい。ＲＦチャネルは、必ずしも互いに隣接していなくても、どのチャネル周波数においても配置され得る。
【００１９】
各ＲＦチャネルは、孤立のＡＴＳＣ３．０信号として扱われる。追加のガードバンド、追加のパイロット、同期等のバンドリングされたチャネルのための物理層には、特別な措置は要求されない。特に、ＲＦチャネルバンドリングのコンセプトは、複数の既存のＬＤＰＣ符号化器及び復号化器、並びに、標準のＲＦチューナの再利用を可能としており、これは、全体の複雑さを低減すること、及び、単一のＲＦチャネルの容量を超える高データレートサービスの導入を簡素化することに貢献している。
【００２０】
提案された全ての手法では、送信装置（Ｔｘ）側におけるストリームの分割及び受信装置（Ｒｘ）側におけるストリームの再結合（又は、幾つかの図では、結合ＢＢ（ベースバントパケット）デフレーミングとも呼ばれる）は、物理層外で実行される。
【００２１】
一般的に、上記異なる手法は、２つのＲＦチャネルについて以下のように説明される。もちろん、２以上のバンドリングされたＲＦチャネルに対して、簡単にこの原理を拡張することができる。
【００２２】
図１は、技術応答の要請に記載された現在提案されているチャネルバンドリング・メカニズムを示している。ＰＣＴ特許出願ＰＣＴ／ＥＰ２０１４／０６１４６７及びそれが基礎となる優先権出願は、参照によりその全体が本明細書に組み込まれる。
【００２３】
送信装置（Ｔｘ）側では、ストリーム分割器１０が入力ストリームをｍ個のＴＳ／ＩＰ入力ストリームに分割し、これが、その後、ｍ個の分離した変調器１１、１２によって別々に変調されて、地上波チャネルでの伝送のためのｍ個のＲＦストリームとなる。受信装置（Ｒｘ）側では、受信されたＲＦストリームが、ｍ個の復調器１３、１４によって別々に復調されて、ｍ個の復調ストリームとなり、これが、その後、ストリーム再結合器１５によって再結合されて、出力ストリームとなる。
【００２４】
既知の提案における上述のソリューションは、チャネルバンドリングに対する最も簡単なソリューションを実現しているが、重大な欠点を有している。つまり、異なるチャネルが完全に分離されているので、膨大な入力ストリームの全体の性能が、異なるＲＦチャネルの異なるチャネルコンディションの影響を受けてしまう。これについての主な理由は、全ての割り当てられたＲＦチャネルに対する送信装置及び受信装置が、独自の独立したＦＰＣ（前方誤り訂正）符号化器及び復号化器を展開しているためである。仮に、１つ、あるいは幾つかのチャネルに、正確なデータ復号化に不十分なＳＮＲ又は他のチャネル障害が発生した場合、全体の再結合ストリームが、誤りを含む破損されたデータストリームとなってしまう。
【００２５】
一例として、図２に示されているプロットは、スウェーデンのオペレータ（テラコム）からの異なる地上波ＲＦチャネルにおける、計測されたＳＮＲの変動を示している。
【００２６】
次に、ＳＮＲ平均化が行われない既存のチャネルバンドリングアーキテクチャについて説明する。特に、チャネルバンドリングが行われる既存の非地上波放送システムについて説明する。
【００２７】
チャネルバンドリングのコンセプトは、ＤＶＢ−Ｃ２、ＤＶＢ−Ｓ２ｘ等のような他の放送システムにおいて既に導入されている点にまず留意されたい。一方、ケーブル及び衛星チャネルにおいて、関連するＲＦチャネル又はデータスライスに亘る大きな振幅変化は期待されない。従って、ＳＮＲ平均化のための異なるＴｘ信号ストリーム間におけるデータセルの交換は、要求されない。しかしながら、Ｃ２及びＳ２ｘチャネルバンドリングの原理について、ここで簡単に説明する。
【００２８】
ＤＶＢ−Ｃ２システムは、異なるデータスライスに亘る単一のＰＬＰ（物理層パイプ）接続のデータの拡張を可能としている。この動作モードは、単一のデータスライスの容量を超えるスループットレートを要求する先進型のサービスを対象としている。
【００２９】
バンドリングされたＰＬＰ接続の全てのデータパケットは、同じ入力処理ブロックを通過する。モード適応ブロックにおけるＩＳＳＹタイムスタンプの挿入は、受信装置側での異なるデータスライスからのパケットの再整理を可能としている。図３は、ＤＶＢ−Ｃ２におけるチャネルバンドリングを用いたシステムを示す概略図である。
【００３０】
ＤＶＢ−Ｓ２ｘでは、ＤＶＢ−Ｃ２と同様の手法（図４に記載）が続く。単一入力ストリームは、最大で３つのトランスポンダで並列に搬送される。ＤＶＢ−Ｃ２において、大入力ＰＬＰのデータは同じ入力処理ブロック４０を通過するため、"高効率モード（ＨＥＭ）"において、全てのＢＢフレームは、Ｒｘ側での再整理を可能にするその独自のＩＳＳＹタイムスタンプを得る。分離は、ＢＢフレーム作成後に、分離器４１で実行される。図４は、ＤＶＢ−Ｓ２ｘにおけるチャネルバンドリングを示している。全てのＲＦチャネルは、シンボルレート、変調及び符号化設定などの、その独自の物理パラメータを使用することができる。
【００３１】
次に、本明細書において開示される地上波チャネルバンドリング・メカニズムの現在の提案について説明する。まず、地上波システムにおける既存のチャネルバンドリング手法について説明する。
【００３２】
送信装置の処理は、既存のアーキテクチャに関して上述のようにして行われる。２つの分離したＲＦチャネルについて、関連するデュアルチューナ受信機アーキテクチャが図５に示されており、これは、マルチチューナ・チャネルバンドリング受信機アーキテクチャ５０を示している。
【００３３】
全てのＲＦチャネルの復号化は、ストリーム結合器５５における結合ストリーム再結合、又は、処理チェーンの最後に配置されたデフレーミング部５６によるベースバンド（ＢＢ）デフレーミングの前において、分離したＲＦフロントエンド５１、５２及び分離した復調器５３、５３によって独立して行われる。従って、２つのＲＦチャネルに亘るＳＮＲ平均化は行われない。
【００３４】
幾つかの例示的な利点及び欠点を以下に記載する。
利点については、以下の通りである。
・シンプルでスケーラブルな実装
・分離した復号化器（チューナ＋復調器）の完全な再利用
・遠隔及び隣接チャネルのバンドリングをサポート
・帯域幅全体に亘る追加の統計的多重化ゲイン
欠点については、以下の通りである。
・追加の周波数ダイバーシティ、又は、ＳＮＲ平均化がない
・隣接のバンドリングされたチャネルについてガードバンドを削除できない（下記参照）
【００３５】
完全性のため、チャネルバンドリングは、全体としてより大きな単一のＲＦチャネルによって実現されてもよいことに言及しておく。Ｔｘ側では、ストリームは、より高い帯域幅入力処理、ＢＩＣＭ及び時間インタリーバステージによって処理される。
【００３６】
ＲＦフロントエンド６１及び復調器６２（ＦＴＴ、ＦＤＩ（周波数領域インタリーブ）、デフレーミング及びＴＤＩ（時間領域インタリーブ）の結合部６３、ＱＡＭ−デマッパ６４、ＬＤＰＣ復号化器６５、及びＢＢ−デフレーミング部６６を含む）を含む単一のチューナ・チャネルバンドリング受信装置アーキテクチャ６０を示す図６に示されているように、Ｒｘ側では、単一の帯域幅チューナを使用することができる。
【００３７】
この手法の例示的な利点及び欠点を以下に列挙する。
利点については、以下の通りである。
・追加の周波数ダイバーシティ
・ＴＦＳのような（時間周波数スライス）ＳＮＲ平均化
・帯域幅全体に亘る追加の統計的多重化ゲイン
・隣接のバンドリングされたチャネル間のガードバンドを削除できる
欠点については、以下の通りである。
・複雑な実装
・遠隔チャネルのバンドリングができない
【００３８】
次に、ＳＮＲ平均化を伴う、提案されるチャネルバンドリングについて説明する。全ての関連するＲＦチャネルに亘るＳＮＲ平均化を可能にする技術が提案される。最も重要な要素は、利用可能なＲＦチャネルに亘る全てのＦＥＣ符号化器（ＬＤＰＣ符号化器）からの出力データの拡散である。この拡散は、Ｔｘ及びＲｘチェーンの異なるステージで生じてもよい。２つの選択肢、つまり、ＯＦＤＭシンボルレベルに基づく拡散、及びＰＬＰレベルに基づく拡散について、以下で説明する。
【００３９】
まず、ＯＦＤＭシンボルレベルに基づく拡散について説明する。図７は、ＯＦＤＭシンボル内のセルレベルでの２つのＲＦチャネルのチャネルバンドリングを伴う、単一のＰＬＰに対するＴｘ側での原理についての例示的な実施形態７０を示している。ＰＬＰバンドリングの場合、大入力ストリームは、入力処理部７１における入力処理の後、ストリーム分割器７２において、ＰＬＰにそれぞれ割り当てられる異なる部分ストリームに分割される。これらのＰＬＰは、その後、異なる変調器７３、７４に供給され、また、同じ又は異なるＰＬＰ  ＩＤを持つことができる。単一のＰＬＰ♯１に割り当てられた少なくとも１つの部分ストリームが各変調器に供給される。なお、この文脈において、ＲＦチャネル毎のＰＬＰの数は、必ずしも同じにする必要はない。例えば、第１のＲＦチャネルＲＦ１は、ｎ個のＰＬＰを搬送してもよく、一方で第２のＲＦチャネルＲＦ２は、ｐ個のＰＬＰを搬送してもよい（ｎ≠ｐ）。しかしながら、単一ＰＬＰの場合、図７に示す破線のボックスは、実際には非アクティブである。
【００４０】
ＤＶＢ−Ｔ２、ＤＶＢ−ＮＧＨ及び最も可能性が高いＡＴＳＣ３．０等の典型的なアーキテクチャでは、異なるＰＬＰは、異なる入力処理ＢＩＣＭステージ及び個々の時間インタリーバを通過する。ＢＩＣＭ（ビットインタリーバ符号化変調）ステージ７３１、７４１は、ＦＥＣ符号化器（ＢＣＨ及びＬＤＰＣ）、ビットインタリーバ及びＱＡＭマッパから構成される。時間インタリーバ７３２、７４２による時間インタリーブの後、全てのＰＬＰの時間インタリーブＱＡＭセルは、スケジューラ７３３、７４３によってフレーム内の異なるＯＦＤＭシンボルにスケジューリングされる。
【００４１】
通常の場合、スケジューラ７３３、７４３の出力は、関連するＲＦチャネルの周波数インタリーバ及びＯＦＤＭ変調器に直接的に供給される。現在のソリューソンとは対照的に、選択された又は全ての関連するＲＦチャネルに亘る１つのＯＦＤＭシンボルのスケジューリングされたセルを（例えば、等しく）交換することが提案される。これは、変調器７３内の選択器７３４、７３５及び結合器７３６と、変調器７４内の選択器７４４、７４５及び結合器７４６とによって実行される。続いて、周波数インタリーバ７３７、７４７による周波数インタリーブ及びＯＦＤＭ変調器７３８、７４８によるＯＦＤＭ変調が行われて、ＲＦ出力ストリームを得る。
【００４２】
なお、示されたセル交換ステージ及びその後のＲＦチャネル周波数インタリーバの代わりに、ＯＦＤＭ副搬送波の総和又は全てのＲＦチャネルの結果としての帯域幅に亘って広がる単一の周波数インタリーバが用いられてもよい（例えば、セル交換及び２つの分離した６ＭＨｚ周波数インタリーバの代わりの、単一の１２ＭＨｚ周波数インタリーバ：例えば図２１参照）。
【００４３】
概して、提案される送信装置は、以下の要素を備えている。
ｉ）送信されるデータのデータストリームを２以上のストリームパーティションに分割するように構成されるデータストリーム分割器（実施形態７０において、ストリーム分割器７２によって実現される）。
ｉｉ）ストリームパーティションをそれぞれ受信し、受信されたストリームパーティションから変調データを生成するように構成される２以上の変調器（実施形態７０において、変調器７３、７４によって実現される）。
ｉｉｉ）受信されたストリームパーティションから変調器によって生成された変調データを、送信用の異なるＲＦチャネルに割り当てるように構成されるインタリーバ（実施形態７０において、選択器７３４、７３５、７４４、７４５、結合器７３６、７４６及び周波数インタリーバ７３６、７４６において実現される。つまり、セルの交換は、本開示の文脈においてインタリーブの一実施形態として理解されてもよい）。
【００４４】
Ｒｘ側では、Ｔｘ側からのキャリア交換は、明らかに、復号化の前に反転して行う必要がある。図８は、２つのＲＦチャネルの受信装置アーキテクチャ、特に、提案されたハイブリッドデュアルチューナ型アーキテクチャ（ＯＦＤＭシンボルレベルの拡散）についての例示的な実施形態８０を示している。この開示は、２つのＲＦチャネルに限定されない。受信装置８０は、２つのフロントエンド８１、８２と、２つの復調器８３、８４と、ストリーム結合器８５と、デフレーミング部８６とを備えている。各復調器８３、９４は、ＦＦＴ及びＦＩＤ部８３１、８４１と、デフレーミング及びＴＤＩ部８３２、８４２と、ＱＡＭデマッパ８３３、８４３と、ＬＤＰＣ復号化器８３４、８４４を含む。受信装置は、典型的には、単一のＰＬＰのみを復号化する。これは、少なくとも、１つのＰＬＰが１つのサービス（例えば、ビデオストリーム）を表す場合である。ＰＬＰがサービスコンポーネントのみ（例えば、ビデオのみ、又は音声のみ）を搬送する場合、サービスを含むすべてのＰＬＰが復号化される必要がある。
【００４５】
概して、提案される受信装置は、以下の要素を備えている。
ｉ）少なくとも２つの分離したＲＦチャネルを介して受信されたデータストリームのデータを受信するように構成され、データストリームのストリームパーティションのデータは、少なくとも２つのＲＦチャネルを介して送信され、異なるＲＦチャネルを介して送信された同一のストリームパーティションに属するデータを異なる復調器に割り当てるように構成されるデインタリーバ（実施形態８０において、ＦＦＴ及びＦＤＩ部８１１、８２１と、デフレーミング及びＴＤＩ部８１２、８２２とにより実現され、他の実施形態では、セル再交換回路によって実現され、つまり、セルの再交換は、本開示の文脈において、デインタリーブの一実施形態と理解されてもよい）。
ｉｉ）ストリームパーティションのデータをそれぞれ受信し、受信されたストリームパーティションのデータから復調データを生成するように構成される２以上の復調器（実施形態８０において、ＱＡＭデマッパ８１３、８２３及びＬＤＰＣ復号化器８１４、８２４によって実現される）。
ｉｉｉ）２以上の復調器の復調データをデータストリームに結合するように構成されるデータストリーム結合器（実施形態８０において、ストリーム結合器８２によって実現される）。
【００４６】
異なるＲＦ交換間のデータ交換は、ＯＦＤＭシンボル内のセル交換における上述のメカニズムではなく、完全なＯＦＤＭシンボルにおいても起こり得ることについて言及しておく。実際上、これは、フレームにおけるＬＦ  ＯＦＤＭシンボルのうちの単一のＯＦＤＭシンボル（典型的には、プリアンプル及びシグナリングシンボルを除く、データシンボルのみ）が、異なる変調器間で交換されることを意味する。送信装置におけるこのような実形態９０における関連するブロック図が図９に示されており、完全なＯＦＤＭシンボルレベルでのチャネルバンドリングについてのＴｘ側の処理を示している。なお、以上のセル特定選択器（ＯＦＤＭシンボル内）７３４'、７３５'、７４４'、７４５'は、フレーム内のＯＦＤＭシンボル上で動作しており、つまり、選択器７３４'、７３５'、７４４'、７４５'の粒度は、図７に示される実施形態における選択器７３４、７３５、７４４、７４５と比べて異なっており、これが、選択器におけるインデックスによって示されている（Ｃdataの代わりにＬf）。
【００４７】
当然、如何なる形態の複数のＯＦＤＭシンボルにおける交換も可能であるが、ダイバーシティはより少なくなる。ＯＦＤＭシンボルの交換は、２つのチューナでのＴＦＳでのチャネルバンドリングの単純な結合アーキテクチャを可能にするので、重要なシナリオであると見なされる。なお、ＯＦＤＭシンボルの交換は、周波数インタリーバの後に同様にして行われてもよい。
【００４８】
次に、ＰＬＰレベルに基づく拡散について説明する。
【００４９】
以上では、拡散がＯＦＤＭシンボルレベルにおいて行われると仮定されていた。これにより、単純なＴｘ及びＲｘの実装が可能となるが、幾つか欠点がある。関連のあるＰＬＰがＯＦＤＭシンボルのセルのサブセットで送信されるのみであったとしても、全体のＯＦＤＭシンボルが交換される必要があるため、拡散されたＯＦＤＭシンボルの交換データレートは、非常に高い。ＰＬＰレベルでのチャネルバンドリングのＴｘ側の処理についての実施形態１００を示す図１０に示すように、ＰＬＰレベルでのセルの拡散により、この欠点は、克服することができる。
【００５０】
異なる選択器ブロック１０２１、１０２２、１０３１、１０３２におけるデータセルの選択は、例えば、ストリーム分割器１０１における分割レート、つまり、異なる変調器チェーン１０２、１０３に供給されるＰＬＰに対するＢＢフレームの関係によって定義されてもよい。この実施形態では、スケジューラ１０２４、１０３４は、結合器１０２３、１０３３の後に提供される。
【００５１】
この実施形態では、分離された入力ストリームが、分離された入力処理部及び分離されたストリーム分割器によって扱われ得ることについても示されている。代わりに、分離された入力ストリームは、共通の入力処理部７１及び共通のストリーム分割器１０１により扱われてもよい。この提案されたアイデアは、従って、分離された入力ストリームを並列に扱うことにも適用され得る。
【００５２】
２つの復調器１１３、１１４を含む提案されたハイブリッドデュアルチューナ型アーキテクチャ（ＰＬＰレベルでの拡散）を示す図１１において、それぞれの受信装置アーキテクチャ１１０が示されている。復調器１１３、１１４は、ＱＡＭデマッパ８３３、８４３のＬＬＲ値を交換するのみであり、図８に示される受信装置アーキテクチャ８０で提供されるようなＯＦＤＭシンボルの交換と比較して、データレートがより小さくなる。なお、受信側でのデータセルの交換については、異なる可能性があり、ビッド毎のＱＡＭデマッパの後のＬＬＲ値における図示された交換に加えて、Ｑ及びＩ値の交換、並びに、ＱＡＭデマッパ８３３、８４３の前の、ＦＦＴ、ＦＤＩ、デマッピング及びＴＤＩにおける共通ユニット１１３１、１１４１によるチャネル状態情報（ＣＩＳ）の交換も可能である。
【００５３】
ＰＬＰレベルでのデータの交換における他の利点は、異なるＲＦ帯域幅でのチャネルバンドリングの場合における柔軟性の増加であり、これは、異なるＯＦＤＭシンボル・デュレイションをもたらす。異なるＯＦＤＭシンボルタイミングのため、ＯＦＤＭシンボルの交換は困難であるが、これは、ＰＬＰレベルでのセル交換の場合には、何ら問題はない。しかしながら、異なるＲＦチャネル間のセル交換の数は、異なるチャネルの容量に応じて適用されるべきである。
【００５４】
次に、最先端のチャネルバンドリング手法による、ＳＮＲ平均化を伴うチャネルバンドリングの比較を行う。
利点については、以下の通りである。
・比較的に単純かつスケーラブルな実装
・既存のチューナ、及び、略完全に既存の復調器の再利用
・遠隔及び隣接チャネルのバンドリングのサポート
・追加の周波数ダイバーシティ
・ＴＦＳのような（時間周波数スライス）ＳＮＲ平均化
・単一のＰＬＰ、及び、複数のＲＦチャネルに亘る複数のＰＬＰに対する動作
欠点については、以下の通りである。
・復調器チップ間における、高いデータレートのインターフェイスが要求（受信ＱＩＭセル＋チャネル状態情報又は関連のあるＰＬＰのＱＡＭデマッピングの後のＬＬＲ値）
・隣接するバンドリングチャネルについて、ガードバンドを削除できない
【００５５】
当業者であれば、幾つかの実施形態において、異なる受信アンテナ及びチューナからの受信信号が単一の復号化器チップにおいて結合されることを理解されるであろう。
【００５６】
次に、ストリーム分割器、ストリーム結合器及び選択器における例示的な実施形態について詳細に説明する。
【００５７】
入力及び出力インターフェイスを伴うストリーム分割器１２０の実施形態を示す図１２に示されているように、ストリーム分割器１２０の入力ストリームは、ｎ個の異なるＰＬＰのベースバンド・フレーム（ＢＢフレーム）から構成される。各ＰＬＰは、ＴＳ、ＩＰ又はＧＳＥなどの、異なる入力ストリームフォーマットを有していてもよい。対応する入力ストリームパケットは、ストリーム分割器１２０の前の入力処理ブロック１２１、１２２において、ＩＳＳＹタイムスタンプなどの適切なタイムスタンプを持つＢＢフレームにパケット化される。ストリーム分割器１２０の仕事は、ｍ個の変調器に対して指定されたストリームの出力データレートが、対応するＲＦチャネルの利用可能な容量と一致するように、ｎ個のＰＬＰのＢＢフレームをｍ個のストリームに分割することである。同じ容量のｍ＝２の変調器を有する最も単純なケースでは、ストリーム分割器は、両方の変調器について入力ストリームを等しく分割する。ｍ個のＲＦチャネルにおける、異なる送信パラメータ又はＲＦチャネル帯域幅の場合、ｍ個のＲＦチャネルの容量が異なる場合があり、ストリーム分割器の出力で、不均一な出力ストリーム容量の分割が要求される。
【００５８】
入力及び出力インターフェイスを伴うｍ＝２のストリーム結合器１３０における実施形態を示す図１３に示されているように、受信装置におけるストリーム結合器１３０の仕事は、ストリーム分割器の処理を元に戻すことである。復号化されている与えられたＰＬＰについて、ｍ個の復調器１３１、１３２のｍ個のストリームは、ＢＢフレーム内で利用可能なＩＳＳＹタイムスタンプに応じて結合される。ストリーム結合器１３０は、異なるストリームからのＢＢフレームを記憶するためのバッファであって、そのサイズが、ｍ個の復調器における最大の異なる復号化遅延に依存するバッファを含む。同一の復号化遅延の場合、幾つかのＢＢフレームのバッファサイズで十分である。分割器及び結合器の処理は、透過的であり、つまり、ストリーム結合器１３０の出力でのＢＢフレームのストリームは、ストリーム分割器の入力と同じである。ストリーム結合の後、最初のＴＳ／ＩＰ／ＧＳＥストリームが、ＢＢデフレーマ１３３により復元される。
【００５９】
２つのＲＦチャネルに対する選択器／結合器ステージ１４０における実施形態を示す図１４に示されているように、選択器及び結合器ステージ１４０の仕事は、ｍ個のＲＦチャネル全体に亘るｍ個のスケジューラ１４１、１４２の出力において、変調シンボル（いわゆる、ＤＶＢのセル）を等しく分配することである。このような方法により、周波数ダイバーシティは、ｍのファクタによる単一のチャネルの帯域幅から、全てのバンドリングされたチャネルの全体的な帯域幅へと増加される。特に、ＲＦチャネルの異なるＳＮＲレベルの場合、ＳＮＲ平均化が、全てのＲＦチャネルに亘って行われる。なお、各変調器に提供される選択器１４３、１４４、１４５、１４６は、例えば、図９に示すような分離された選択器ブロックとして実装されてもよく、つまり、ｍ個の変調器について各変調器がｍ個の選択器ブロックを有するように、変調器毎の１つの選択器ブロックが実装されてもよい。他の実施形態では、各変調器は、選択器ブロックの機能を実行する単一の選択器を含む。選択器１４３、１４４、１４５、１４６から受信されたデータは、結合器１４７、１４８によって結合される。
【００６０】
このような分配を適用する最も簡単な方法は、全ての関連するＲＦチャネル間の各ＯＦＤＭシンボルにおける（全てのＣdataセルの）各ｍ番目のセルの交換である。同じＲＦ帯域幅（つまり、Ｃdataが全てのＲＦチャネルで同じ）でのｍ＝２の最も単純なケースでは、偶数インデックス（インデックス２：２：Ｃdata、ＭＡＴＬＡＢシンタックスに基づく）を持つＯＦＤＭシンボルの全てのセルは、現在のＲＦチャネルにおいて維持され、一方で、奇数インデックス（インデックス１：２：Ｃdata、ＭＡＴＬＡＢシンタックスに基づく）を持つＯＦＤＭシンボルの全てのセルは、両方のＲＦチャネル間で交換される。このような選択器／結合器ステージ１４０のブロック図が図１４に示されている。ＯＦＤＭシンボルに対する影響が図１５に示されている。図１５は、２つのＲＦチャネル及び同一のＣdataでの選択器／結合器ステージにおけるＯＦＤＭシンボルのセル交換の一例を示している。３つのＲＦチャネル及び同一のＣdataでの選択器／結合器ステージ間におけるＯＦＤＭシンボルのセル交換の一例を示す図１６において、３つのＲＦチャネルでの類似の例が示されている。
【００６１】
異なる帯域幅を伴うｍ個のＲＦチャネル、及び、これにより異なるＯＦＤＭシンボル・デュレイション及びセルＣdata数における一般的なケースでは、交換されるセルの量は、等しくなく、また、異なるＲＦチャネルのＣdataの比率、並びに、異なるＯＦＤＭシンボル・デュレイションに応じて計算しなければならない。さらに、異なるＲＦチャネルからのセルの結合動作の順序が定義されなければならない。両方の数は、変調器及び復調器の実装間の明確さを避けるために、丸め演算を使用する決定論的な方法で定義されなければならない。結合ステージの後におけるＲＦチャネル毎のセルのランダム分配を保証するため、周波数インタリーバが、各ＲＦチャネルについて個別に適用される。
【００６２】
次に、変調器／復調器間における要求される通信リンクの数について説明する。
【００６３】
ｍ＝２の場合、４つの単方向通信リンク、又は、２つの双方向通信リンクが、ｍ個の選択器／結合器ステージ間でのデータの交換に必要とされる。ｍの数が増加するにつれて、要求される通信リンクの数が急激に増加する。これは、送信装置（ｍ個の変調器を含む）及び受信装置（ｍ個の復調器を含む）の両方に当てはまる。多数の専用送信リンク又はよりよい論理表現を避けるために、ｍ個のデモ間の通信バスが使用されてもよい。専用のリンク又は通信バスを使用する２つの手法が図１７において例示的に示されている。図１７は、幾つかの変調器１７１、１７２、１７３、１７４を相互接続する２つの異なる手法を示している（図１７（ａ）は、専用リンクを示しており、図１７（ｂ）は、通信バスを示している）。選択器／結合器ステージのＢＢフレーム入力及び出力ストリームは、簡略化のために省略されている。
【００６４】
次に、単一のＢＩＣＭステージでのチャネルバンドリングについて説明する。
【００６５】
単一のＢＩＣＭ符号化及び復号化ステージ（つまり、ＦＥＣ符号化（ＢＣＨ／ＬＤＰＣ）、ビットインタリーブ及びＱＡＭマッピング）において、チャネルバンドリングがどのようにして実現されるかについて簡潔に説明する。既存の機能ブロック又は既存の復調器アーキテクチャ全体を再利用するという点に焦点を当てた従来のソリューションとは対照的に、この選択肢では、ＢＩＣＭステージで、単一のＲＦチャネルの容量を超えるデータテートを扱うことを可能とすることが要求されるが、送信装置及び受信装置のアーキテクチャがより単純となる。
【００６６】
単一のＢＩＣＭステージ及び複数のバンドリングされたＲＦチャネルでの送信装置側のアーキテクチャ１８０についての実施形態が、２つのＲＦチャネルの構成例における図１８に示されている。関連する受信装置のブロック図１９０についての実施形態が、単一のＢＩＣＭステージでのチャネルバンドリングにおける図１９に示されている。
【００６７】
送信装置１８０は、２つの変調器１８１、１８２を備えており、変調器１８１は、図１０に示された送信装置１００における実施形態で提供されたような選択器及び結合器ではなく、分離器１８３を備えている。従って、同じ完全なＢＩＣＭを使用するのではなく、別の選択肢が提供され、仮に、分離器が、同じＦＥＣ（ＬＤＰＣ）符号化器の後に配置されている場合、異なる変調器チェーンでの全ての部分ビットストリームを、分離されたＱＡＭ変調器によって変調することができ、従って、異なるＲＦチャネルでの異なるロバストレベルが許容される。受信装置側では、分離したＱＡＭデマッパの通過後に、結合が行われる。この目的のため、受信装置１９０は、分離したフロントエンド８１、８２と、ＦＦＴ、ＦＤＩ及びデフレーミングのための分離したユニット１９１、１９２と、単一の結合器１９３と、単一の時間インタリーバ１９４と、単一のＱＡＭデマッパ１９５と、単一のＬＤＰＣ復号化器１９６と、単一のデフレーミング部８６とを備えている。
【００６８】
次に、複数のＰＬＰの一般的なアーキテクチャ、並びに、時間周波数スライシングにおける関係について説明する。
【００６９】
提案された改善は、非常に高いデータレートの単一のＰＬＰに対するチャネルバンドリングに焦点を当てている。しかしながら、一般的に、異なる符号化チェーンからの副搬送波の交換は、複数のＰＬＰのシナリオにおいても適用可能である。もちろん、略全体の容量を割り当てる高データレートＰＬＰと、残りの容量を満たす他のＰＬＰとの混合シナリオも可能である。ｎ個のＰＬＰ及びｍ個のＲＦチャネルを伴うＭ−ＰＬＰに対するＴｘ構造が、複数（つまり、ｎ個）のＰＬＰでのチャネルバンドリングについての送信装置アーキテクチャ２００を示す図２０に示さている。図７に示されている送信装置アーキテクチャ７０と比較して、ｎ個の入力処理部７１ａ、・・、７１ｎが、ｎ個のＰＬＰに対する分離した入力処理のために提供されている。さらに、各ｍ個の変調器７３ａ、・・、７３ｍは、ｎ個のＢＩＣＭ部７３１ａ、・・、７３１ｎ、７４１ａ、・・、７４１ｎと、ｎ個の時間インタリーバ７３２ａ、・・、７３２ｎ、７４２ａ、・・、７４２ｎと、スケジューラ７７３、７４３、選択器７３４、７３５、７４４、７４５と、結合器７３６、７４６と、周波数インタリーバ７３７、７４７と、ＯＦＤＭ変調器７３８、７４８とを備えている。
【００７０】
セル交換ステージ及びその後のＲＦチャネル周波数インタリーバの代わりに、全てのＲＦチャネルの結果としての帯域幅に亘る単一の周波数インタリーバを使用することができ、
当然、依然としてｍ個の変調器間のインターフェイスが要求される。これが、図２１に示され、図２１は、全ての変調器２１１ａ、・・、２１１ｎと、上記変調器２１１ａ、・・、２１１ｎにおける各ＰＬＰに対する分離した入力処理部２１３ａ、・・、２１３ｎ、２１４ａ、・・、２１４ｎとのための１つの広帯域周波数インタリーバ２１２を使用した複数のＰＬＰでのチャネルバンドリングに対する送信装置アーキテクチャ２１０を示している。
【００７１】
提案されたチャネルバンドリング手法の１つの欠点は、幾つかのチューナの必須の使用である。なお、幾つかのＲＦチャネルの単一のチューナ受信を可能とするＤＶＢ及びＡＴＳＣ３．０における他の提案、いわゆる、"時間周波数スライシング（ＴＦＳ）"が存在することについて言及しておく。ＴＦＳも異なるＰＬＰからのデータを異なるＲＦチャネル（最大で６つの周波数）に拡散して、効率的な統計的多重化を可能とする単一の'仮想'チャネルを作成する。ＰＬＰは、これらが、１つの時点で１つのＲＦチャネルでのみ出現するようにスケジュールされる。異なるＲＦチャネルでの異なるＰＬＰ部分間の幾つかのガードバンドが、チャネル交換を可能とするために提供される。図２２は、地上波放送システム（ＤＶＢ、ＡＴＳＣ３．０）における基本的なＴＦＳメカニズムを示している。
【００７２】
しかしながら、ＲＦチャネルホッピングの十分な時間を可能とするための十分な数のＰＬＰの必須の使用などのような、ＴＦＳの使用における欠点及び制約も存在する。加えて、ＰＬＰが、利用可能な容量の大部分を割り当てることは、全ての可能時間で単一のＲＦチャネルにこのＰＬＰをスケジュールすることができないので、不可能である。その結果、単一のＲＦチャネルの容量より十分小さい、１つのＰＬＰの最大容量に関する制約が生じる。図２３は、図１８に示されるチャネルバンドリングのＴｘアーキテクチャ１８０と比較され得る、ＴＦＳのＴｘアーキテクチャ２３０を示している。この送信装置２３０は、ｎ個のＰＬＰを処理するためのｎ個の処理チェーンを含み、各処理チェーンは、入力処理部２３１ａ、・・、２３１ｎと、ＢＩＣＭ２３２ａ、・・、２３２ｎと、タイムインタリーバ２３３ａ、・・、２３３ｎとを含む。さらに、共通のスケジューラ２３４が提供される。スケジューラ２３４の出力は、周波数インタリーバ及びＯＦＤＭ変調器をそれぞれ含むｍ個の分離したＯＦＤＭ部２３５ａ、・・、２３５ｍに提供される。
【００７３】
一般的には、ＴＦＳは、単一のチャネルの容量を超えるデータレートで送信を行うことができない。これが、記載された方法及び装置の一例を使用して、チャネルバンドリングにより拡張される。
【００７４】
本開示の他の実施形態では、受信装置アーキテクチャにおいて２つのチューナが使用される他のシナリオにおいて、提案された送信装置及び受信装置アーキテクチャが使用され、統合されたアーキテクチャとして実施されてもよい。このような他のシナリオは、チャネルバンドリング（チャネルボンディングとも呼ばれる）使用する、以上で説明されたシナリオに加えて、ダイバーシティ受信装置で使用されるＭＩＭＯアーキテクチャ及びＭＲＣ（最大比結合）アーキテクチャを含む。これは、他のシナリオについて適用の使用を排除するものではない。幾つかの実施形態では、ＢＩＣＭステージを含む標準ＳＩＳＯ受信装置からの標準ブロックが再利用される。提案されたアーキテクチャは、２以上の送信装置モジュールに亘り、また、２以上の受信装置モジュールに亘る結合処理／セル交換ステージをそれぞれ使用する。提案されたアーキテクチャは、ブロックの再利用によって、低実装、低開発労力、低コスト化による利点を提供し、また、これにより、市場でのより高い成功の機会を提供する。
【００７５】
なお、受信装置の最も複雑な要素としてのＬＤＰＣ復号化器は、並列的な構造で実装される。処理速度ｘである論理的に２つの分離したＬＤＰＣ復号化器は、処理速度２ｘで動作する単一のＬＤＰＣ復号化器により扱われてもよい。換言すると、２つの標準速度ＬＤＰＣ復号化器又は２倍速の単一の復号化器の実装は、機能的に同じである。
【００７６】
送信装置３００及び受信装置４００の共通のアーキテクチャが図２４に示されている。他の実施形態を参照して既に上で説明された構成要素には、当該他の実施形態と同じ参照番号が付されている。送信装置３００において、統合されたプリコーディング及びセル交換部３０１が提供され、受信装置４００において、統合された復号化及びセル再交換部４０１が提供される。更に、受信装置４００において、ＯＦＤＭ復調器４０２、４０４と、ＦＤＩ、ＰＬＰ選択及びＴＤＩのための共通部４０３、４０５とが提供される。
【００７７】
概略図から理解されるように、処理は、この共通アーキテクチャの全てのアプリケーションで共通のシンボルレベル（例えば、ＱＡＭシンボルのレベル）で行われる。さらに、冗長データ（例えば、分離したチャネルを介した要求に応じた冗長データ）を要求又は得るためのインターフェイスが、同じ処理レベルに基づいて提供されてもよい。
【００７８】
送信装置は、異なるモード（つまり、ＭＲＣモード、ＭＩＭＯモード及びチャネルボンディングモード）で動作され得るので、統合されたプリコーディング及びセル交換部３０１を制御して、対応して所望のモードで動作させるために、制御部３０２が、幾つかの実施形態において提供されてもよい。この制御部３０２は、送信装置のオペレータにより操作されてもよい。送信装置が、複数のアンテナを実装しているか、又は、他の２つのＲＦ周波数に対してチャネルボンディングモードで動作してもよい場合には、制御部は、特定のＲＦチャネルのためのＭＩＭＯ動作を選択してもよい。動作は、ネットワーク構造及び予期される受信装置の能力に依存し、ネットワークオペレータによって選択される。さらに、受信装置４００が、統合された復号化及びセル再交換部４０１を同じモードで動作させることができるように、受信装置４００による使用のための、送信装置３００が動作された各モードを識別する幾つかのシグナリングが、送信データストリームに含められる。シグナリグは、例えば、プリアンブルで搬送されるレイヤ１シグナリング、又は、動作モードを定義する各フレームの開始位置でのシグナリングシンボルに埋め込まれてもよく、また、動作モードに基づいて後に続くデータ部分を復号化するために、受信装置で使用される。
【００７９】
図２５は、ＭＩＭＯモードで動作された場合における、送信装置３００に対応する送信装置３１０と、受信装置４００に対応する受信装置４１０とを示している。この場合、統合された処理及びセル交換部３０１は、ＭＩＭＯ符号化器３１１として機能し、統合された復号化及び再交換部４０１は、ＭＩＭＯ復号化器４１１として機能する。
【００８０】
ＭＩＭＯ符号化器３１１では、線形プリコーディング行列が使用されてもよい。さらに、異なるプリコーディング行列が、副搬送波ｋ毎に適用されてもよい。プリコーディングは、以下の式に示す副搬送波ｋ毎のプリコーディング行列を有するｅＳＭ（拡張空間多重化）及びＰＨ（位相ホッピング）を使用してよい。
【数１】
2018503298.tif 000003
電力割り当て又はストリームベース位相ホッピング等のような追加のプリコーディング要素が、追加的に使用されてもよい。送信装置でのプリコーディングは、ダイバーシティを増加させ、また、システム全体の性能を向上させる。他の実施形態において、プレーン空間多重化は、以下に示す式で適用されてもよい。
【数２】
2018503298.tif 000004
この場合、プリコーディングは適用されず、また、プリコーダは、透過的と見なされ得る。
【００８１】
ＲＦチャネルＲＦ１及びＲＦ２は、空間領域で定義され、また、２つのチューナは、２つのアンテナに接続され、ＭＩＭＯ送信を行うため、少なくとも２つの送信アンテナ及び少なくとも２つの受信アンテナが提供される。つまり、第１の送信アンテナは、ＲＦ１でデータを送信し、第２の送信アンテナは、ＲＦ２でデータを送信する。送信アンテナ及び受信アンテナの間にインターフェイスが存在していてもよい。チャネル行列は、以下の式により表される。
【数３】
2018503298.tif 000005
【００８２】
受信装置４１０では、２つの受信データストリームをデカップリングするために、ＺＦ（ゼロ強制）又はＭＭＳＥ（最小平均二乗誤差）検出が用いられてもよい。あるいは、例えば、結合ＭＩＭＯ復号化器及びＱＡＭデマッパ４１２などのＭＬ（最大尤度）デマッパが用いられてもよい。
【００８３】
図２６は、チャネルボンディングモードにおいて動作するときの、送信装置３００に対応する送信装置３２０と、受信装置４００に対応する受信装置４２０とを示している。この場合、統合されたプリコーディング及びセル交換部３０１は、開示されたインタリーバの他の実施形態を表すセル交換部３２１として機能し、統合された復号化及びセル再交換部４０１は、開示されたインタリーバの他の実施形態を表すセル再交換部４２１として機能する。このケースは、ＭＩＭＯケースのサブセットとして機能的に見なされてもよい。
【００８４】
セル交換部３２１において、ＳＮＲ平均化は、ＭＩＭＯ記述の類似性（アナロジー）を強調する行列表記において記述されてもよい。
【数４】
2018503298.tif 000006
これにより、偶数及び奇数は、ＯＦＤＭ搬送波数を示すが、他の粒度（ＯＦＤＭシンボル等）にマッピングすることもできる。他の実施形態では、増加されたダイバーシティを提供する任意のプリコーディング（ＭＩＭＯに類似）が適用されてもよい。一方、上述のＭＩＭＯプリコーディングに類似の単一のプリコーディングが好ましいが、本開示において必須ではない。上述の行列により記述された単純なセル交換と比較して、プリコーディングは、性能をさらに向上させる。プリコーディングブロックが既にＭＩＭＯ動作モードで利用可能な場合、プリコーディングブロックは、追加の複雑性がないチャネルボンディングモードに用いられてもよい。プリコーディングの適用による改善された性能は、以下のように説明される。プリコーディングは、２つのＢＩＣＭチェーンによって生成された２つのシンボルにオーバラップしており、つまり、両方のシンボルの重畳が各ＲＦチャネルにおいて送信される。２つのＲＦチャネルが、非常に異なるフェーディング又は減衰を経験した場合、２つのシンボルの情報は、受信装置においてより確実に復元されてもよい（極端なシナリオでは、両方のシンボルの情報が、ＲＦチャネルのみから復元されてもよい。プリコーディングが適用されない場合に、１又は２つのＲＦチャネルが非常に強く減衰するとき、第２のシンボルが失われる可能性がある）。
【００８５】
ＲＦチャネルＲＦ１及びＲＦ２が周波数領域で記述される。共通のチャネル干渉は存在しない。チャネル行列は以下の式により表される。
【数５】
2018503298.tif 000007
ここで、ｈ１１及びｈ２２は、それぞれ、ＲＦチャネルＲＦ１及びＲＦ２のフェーディング係数に対応する。この記述は、上述のＭＩＭＯモードの類似性を強調するためのものである。
【００８６】
受信装置４２０では、例えば、ＳＮＲ平均化又は逆プリコーディングの再整理の使用により、セル交換が実行される。
【００８７】
図２７は、ダイバーシティ受信装置を提供するＭＲＣ結合モードで動作する場合における、受信装置３００に対応する受信装置３３０と、送信装置４００に対応する送信装置４３０とを示している。この場合、送信装置３３０は、単一の経路（変調器）のみを使用し、つまり、単一のデータストリーム処理のみが存在する。統合されたプリコーディング及びセル交換部３０１は無効化される。受信装置では、統合された復号化及びセル再交換部４０１は、セル再交換部４３１（開示されたインタリーバのさらに別の実施形態を表す）として機能するが、セル再交換部４３１の後の１つの経路のみが有効化されるように、単一のデータストリームも発する。このケースは、ＭＩＭＯケースのサブセットと見なされてもよい。
【００８８】
送信経路及び各受信経路間のＲＦチャネルは、以下の式により表されてもよい。
【数６】
2018503298.tif 000008
【００８９】
受信装置４３０では、例えば、最大比結合（ＭＲＣ）のアルゴリズムをフォローする、２つの受信信号のコヒーレント加算の使用により、最大比結合が実行されてもよい。例えば、最適結合などの、より進歩した結合アルゴリズムが用いられてもよい。
【００９０】
要約すると、図２４〜２７を参照して以上で説明された、結合された送信装置及び受信装置アーキテクチャにおいて、送信装置及び受信装置は、概して、それぞれ、以下のように定義される。
【００９１】
少なくとも２つの分離したＲＦチャネルを用いてデータを送信するための送信装置であって、
送信されるデータのデータストリームを２以上のストリームパーティションに分割するように構成されるデータストリーム分割器と、
ストリームパーティションをそれぞれ受信し、受信されたストリームパーティションから変調データを生成するように構成される２以上の変調器と、
異なるモードで動作するように構成される統合されたプリコーディング及びセル交換部と、
統合されたプリコーディング及びセル交換部を制御して、所望のモードで動作させるように構成されるオプション制御部とを具備し、
上記モードは、ｉ）２以上のストリームパーティションを別々に符号化するように動作するＭＩＭＯモード、ｉｉ）受信されたストリームパーティションから変調器により生成された変調データを、送信用の異なるＲＦチャネルに割り当てるように動作するチャネルボンディングモード、ｉｉｉ）データストリーム分割器及び統合されたプリコーディング及びセル交換部が無効化され、１つの変調器のみが動作するＭＲＣモードを含む
送信装置。
【００９２】
少なくとも２つの分離したＲＦチャネル（周波数（チャネルボンディング）において分離されていてもよく、空間的又は偏波ダイバーシティにより達成されてもよい）を介してデータストリームのデータを受信するための受信装置であって、
受信データからモード情報を抽出する手段と、
抽出されたモード情報に応じて、異なるモードの１つで動作するように構成される統合された復号化及びセル再交換部と、
ストリームパーティションのデータをそれぞれ受信し、受信されたストリームパーティションのデータから復調データを生成するように構成される２以上の復調器と、
２以上の復調器の復調データをデータストリームに結合するように構成されるデータストリーム結合器とを具備し、
上記モードは、ｉ）少なくとも２つの分離したアンテナを介して受信された２以上のストリームパーティションのデータを別々に復号化するように動作するＭＩＭＯモード、ｉｉ）少なくとも２つの分離したＲＦチャネルを介してデータストリームのデータを受信するように動作し、データストリームのストリームパーティションのデータは、少なくとも２つのＲＦチャネルを介して送信され、異なるＲＦチャネルを介して送信された同じストリームパーティションに属するデータを、異なる復調器に割り当てるように動作するチャネルボンディングモード、ｉｉｉ）１つのみの復調器が有効化されて、受信されたデータが復調されるＭＲＣモードを含む
受信装置。
【００９３】
従って、上述の議論は、本開示の単なる例示的な実施形態を開示及び記載している。当業者であれば理解されるように、本開示は、その精神又は本質的な特徴を逸脱することなく、他の特定の形態において具体化されてもよい。従って、本開示における開示は、例示であると意図され、本開示の範囲及び他の請求項を限定するものではない。本開示は、本明細書の技術における容易に認識可能な如何なる変形をも含み、本発明の主題が公衆に捧げられないように、以下の請求項における技術の範囲について部分的に定義する。
【００９４】
請求項において"具備する"との文言は、他の要素又はステップを排除するものではなく、また、不定冠詞「ａ」、又は「ａｎ」は、複数を排除しない。単一の要素又は他のユニットは、請求項に記載された幾つかの項目の機能を果してもよい。特定の手段が相互に異なる従属請求項に記載されているという単なる事実は、これらの手段の組合せが有利に使用することができなということを示すものでなない。
【００９５】
以上では、本開示の実施形態が、ソフトフェア制御データ処理装置により少なくも部分的に実施されるとして説明されたが、このようなソフトウェアを担持する、例えば、光ディスク、磁気ディスク、半導体メモリのような非一時的なコンピュータ読み取り可能な記録媒体においても、本開示の実施形態を表すと見なされる。また、このようなソフトウェアは、インターネット又は他の有線若しくは無線電気通信システムなどの他の形態で配布されてもよい。
【００９６】
開示されたデバイス、装置及びシステムの要素は、例えば、適切な回路等の対応するハードウェア及び／又はソフトウェア要素により実現されてもよい。回路は、従来の回路要素、特定用途向け集積回路、標準集積回路、特定用途向け標準製品及びフィールドプログラマブルゲートアレイを含む集積回路を含む電子構成要素の構造集合体である。さらに、回路は、中央処理装置、グラフィック処理装置、及びソフトウェアコードに従ってプログラム又は構成されたマイクロプロセッサを含む。回路には、上述のハードウェア実行ソフトフェアが含まれるが、回路は、純粋なソフトウェアを含まない。
【００９７】
開示された主題における更なる実施形態が以下に列挙される。
１．  少なくとも２つの分離したＲＦチャネルを用いてデータを送信するための送信装置であって、
送信されるデータのデータストリームを２以上のストリームパーティションに分割するように構成されるデータストリーム分割器と、
ストリームパーティションをそれぞれ受信し、前記受信されたストリームパーティションから変調データを生成するように構成される２以上の変調器と、
前記受信されたストリームパーティションから前記変調器によって生成された前記変調データを、送信用の異なるＲＦチャネルに割り当てるように構成されるインタリーバと
を具備する送信装置。
２．  形態１に記載の送信装置であって、
前記データストリーム分割器は、前記データストリームをＮ個のストリームパーティションに分割するように構成され、
前記送信装置は、単一のストリームパーティションを受信するようにそれぞれ構成されるＮ個の変調器を具備する
送信装置。
３．  形態１に記載の送信装置であって、
前記データストリーム分割器は、送信されるデータの少なくとも２つのデータストリームを受信し、前記データストリームを２以上の各ストリームパーティションに分割するように構成され、
前記２以上の変調器は、少なくとも２つの異なるデータストリームから少なくとも１つのストリームパーティションをそれぞれ受信するように構成される
送信装置。
４．  形態３に記載の送信装置であって、
前記２以上の変調器は、各データストリームから１つのストリームパーティションをそれぞれ受信するように構成される
送信装置。
５．  形態３に記載の送信装置であって、
前記インタリーバは、同一のデータストリームにおける異なるストリームパーティションから異なる変調器によって生成され、同一のＲＦチャネルによって送信用に割り当てられた変調データを結合するように構成される結合器をさらに具備する
送信装置。
６．  形態１〜５のうちいずれか１つに記載の送信装置であって、
前記送信装置は、ＯＦＤＭシンボルのＯＦＤＭ副搬送波で前記データを送信するように構成され、
前記インタリーバは、前記変調データを、送信用の異なるＲＦチャネルのＯＦＤＭシンボルのＯＦＤＭ副搬送波に割り当てるように構成される
送信装置。
７．  形態１〜６のうちいずれか１つに記載の送信装置であって、
前記２以上の変調器は、前記受信されたストリームパーティションから、複数のセルを含むＯＦＤＭシンボルをそれぞれ生成するように構成され、
前記インタリーバは、前記受信されたストリームパーティションから前記変調器によって生成されたＯＦＤＭシンボル又はＯＦＤＭシンボルのセルを、送信用の異なるＲＦチャネルに割り当てるように構成される
送信装置。
８．  形態１〜７のうちいずれか１つに記載の送信装置であって、
前記インタリーバは、
前記各変調器の変調データを、前記異なるＲＦチャネルに選択して割り当てるように構成された、前記変調器毎の選択器と、
前記各ＲＦチャネルに割り当てられた変調データを結合するように構成された、前記ＲＦチャンネル毎の結合器と、
前記各ＲＦチャネルにおける結合された変調データの周波数インタリーブのための、前記ＲＦチャンネル毎の周波数インタリーバとを具備する
送信装置。
９．  形態１〜８のうちいずれか１つに記載の送信装置であって、
前記データストリーム分割器は、送信されるデータのデータストリームを２以上のストリームパーティションに等しく分割するように構成される
送信装置。
１０．  形態１〜９のうちいずれか１つに記載の送信装置であって、
前記インタリーバは、前記変調データを、送信用の異なるＲＦチャネルに等しく割り当てるように構成される
送信装置。
１１．  形態１〜１０のうちいずれか１つに記載の送信装置であって、
前記インタリーバは、前記異なるＲＦチャネルの帯域幅に比例する、送信用の異なるＲＦチャネルに前記変調データを割り当てるように構成される
送信装置。
１２．  形態１〜１１のうちいずれか１つに記載の送信装置であって、
前記インタリーバは、セル交換回路を具備する
送信装置。
１３．  形態１２に記載の送信装置であって、
前記セル交換回路は、異なるモードで動作するように構成される
送信装置。
１４．  形態１２又は１３に記載の送信装置であって、
前記セル交換回路は、前記受信されたストリームパーティションから前記変調器によって生成された前記変調データを、送信用の異なるＲＦチャネルに割り当てるように動作するチャネルボンディングモードで動作するように構成される
送信装置。
１５．  形態１２、１３又は１４に記載の送信装置であって、
前記セル交換回路は、２つの異なるストリームパーティションから偶数インデックスの、２つのＯＦＤＭ搬送波、シンボル又はセルの入力ベクトルの乗算のための行列Ｖ（ｅｖｅｎ）を適用し、２つの異なるストリームパーティションから奇数インデックスの、２つのＯＦＤＭ搬送波、シンボル又はセルの入力ベクトルの乗算のための行列Ｖ（ｏｄｄ）を適用するように構成される
【数７】
2018503298.tif 000009
送信装置。
１６．  少なくとも２つの分離したＲＦチャネルを用いてデータを送信するための送信方法であって、
送信されるデータのデータストリームを２以上のストリームパーティションに分割し、
２以上の各変調器によってストリームパーティションをそれぞれ受信し、
前記受信されたストリームパーティションから変調データを生成し、
前記受信されたストリームパーティションから変調器によって生成された前記変調データを、送信用の異なるＲＦチャネルに割り当てる
送信方法。
１７．  少なくとも２つの分離したＲＦチャネルを介してデータストリームのデータを受信するための受信装置であって、
少なくとも２つの分離したＲＦチャネルを介して受信されたデータストリームのデータを受信するように構成され、前記データストリームのストリームパーティションのデータは、少なくとも２つのＲＦチャネルを介して送信され、異なるＲＦチャネルを介して送信された同一のストリームパーティションに属するデータを異なる復調器に割り当てるように構成されるデインタリーバと、
ストリームパーティションのデータをそれぞれ受信し、前記受信されたストリームパーティションのデータから復調データを生成するように構成される２以上の復調器と、
前記２以上の復調器の復調データをデータストリームに結合するように構成される
データストリーム結合器と
を具備する受信装置。
１８．  形態１７に記載の受信装置であって、
前記受信装置は、Ｎ個のストリームパーティションからデータをそれぞれ受信するＮ個の復調器を具備し、
前記データストリーム結合器は、前記Ｎ個の復調器からの復調データを前記データストリームに結合するように構成される
受信装置。
１９．  形態１７又は１８に記載の受信装置であって、
前記デインタリーバは、異なるＲＦチャネルを介して送信された同一のストリームパーティションに属するＯＦＤＭシンボル又はＯＦＤＭのＯＦＤＭ副搬送波を、異なる復調器に割り当てるように構成される
受信装置。
２０．  形態１７、１８又は１９に記載の受信装置であって、
前記受信されたデータをデマッピングするためのデマッパをさらに具備し、
前記デインタリーバは、ｉ）前記デマッピングされたデータのＬＬＲ値又はデマッピングされる前のデータのＩ及びＱ値、及び／又は、ｉｉ）異なるＲＦチャネルを介して送信された同一のストリームパーティションに属する、デマッピングされる前のチャネル状態情報を、異なる復調器に割り当てるように構成される
受信装置。
２１．  形態１７〜２０のうちいずれか１つに記載の受信装置であって、
前記受信装置は、ＯＦＤＭシンボルのＯＦＤＭ副搬送波で前記データを受信するように構成され、
前記デインタリーバは、異なるＲＦチャネルを介して送信されたＯＦＤＭシンボルの副搬送波、又はＯＦＤＭシンボルから受信されたデータを、異なる復調器に割り当てる
受信装置。
２２．  形態１７〜２１のうちいずれか１つに記載の受信装置であって、
前記デインタリーバは、セル再交換回路を具備する
受信装置。
２３．  形態２２に記載の受信装置であって、
前記セル再交換回路は、異なるモードで動作するように構成される
受信装置。
２４．  形態２２又は２３に記載の受信装置であって、
前記セル再交換回路は、異なるＲＦチャネルを介して送信された同一のストリームパーティションに属する前記データを、異なる復調器に割り当てるように動作するチャネルボンディングモードで動作するように構成される
受信装置。
２５．  少なくとも２つの分離したＲＦチャネルを介してデータストリームのデータを受信するための受信方法であって、
少なくとも２つの分離したＲＦチャネルを介してデータストリームのデータを受信し、前記データストリームのストリームパーティションのデータは、少なくとも２つのＲＦチャネルを介して送信され、
異なるＲＦチャネルを介して送信された同一のストリームパーティションに属するデータを異なる復調器に割り当て、
ストリームパーティションのデータを２以上の復調器によってそれぞれ受信し、
前記受信されたストリームパーティションのデータから復調データを生成し、
前記２以上の復調器の復調データをデータストリームに結合する
受信方法。
２６．  プロセッサによって実行されると、形態１６に記載の送信方法又は形態２５に記載の受信方法が実行されるコンピュータプログラムが記憶されたコンピュータ読み取り可能な記録媒体。
２７．  少なくとも２つの分離したＲＦチャネルを用いてデータを送信するためのシステムであって、
形態１に記載された、少なくとも１つの送信装置と、
形態１７に記載された、少なくとも１つの受信装置と
を具備するシステム。
２８．  コンピュータ上で実行されると、形態１６に記載の送信方法又は形態２５に記載の受信方法におけるステップをコンピュータに実行させるプログラムコードを含むコンピュータプログラム。
【図１】
2018503298.tif 000011
【図２】
2018503298.tif 000012
【図３】
2018503298.tif 000013
【図４】
2018503298.tif 000014
【図５】
2018503298.tif 000015
【図６】
2018503298.tif 000016
【図７】
2018503298.tif 000017
【図８】
2018503298.tif 000018
【図９】
2018503298.tif 000019
【図１０】
2018503298.tif 000020
【図１１】
2018503298.tif 000021
【図１２】
2018503298.tif 000022
【図１３】
2018503298.tif 000023
【図１４】
2018503298.tif 000024
【図１５】
2018503298.tif 000025
【図１６】
2018503298.tif 000026
【図１７】
2018503298.tif 000027
【図１８】
2018503298.tif 000028
【図１９】
2018503298.tif 000029
【図２０】
2018503298.tif 000030
【図２１】
2018503298.tif 000031
【図２２】
2018503298.tif 000032
【図２３】
2018503298.tif 000033
【図２４】
2018503298.tif 000034
【図２５】
2018503298.tif 000035
【図２６】
2018503298.tif 000036
【図２７】
2018503298.tif 000037
【国際調査報告】
2018503298.tif 000038
2018503298.tif 000039